(57)【要約】【課題】  全身シャワーとハンドシャワーを同時に使用可能で、ハンドシャワーの吐水切替も可能なシャワー装置を提供する。【解決手段】  複数のノズル１０，１０，１０，１０を有する回動可能なアーム４，５を備えた全身シャワー装置１には、ホース１２を介し任意の場所に移動できるハンドシャワー１３が付設されて、全身シャワー装置１のノズル１０，１０，１０からの吐水と、ハンドシャワー１３からの吐水が同時に行えるように、それぞれのハンドル３ｂ，３ｃが設けられており、更に、ハンドシャワー１３には、通常のシャワー散水と、シャワー散水よりも散水量の少ない第２の散水に切り替え可能な切替手段１３ｃが設けられている。【選択図】  図１
2005074176.tif 000002
【特許請求の範囲】
【請求項１】
複数のノズルを有する回動可能なアームを備えた全身シャワー装置に、ホースを介し任意の場所に移動できるハンドシャワーが付設されてなるシャワー装置において、前記全身シャワー装置のノズルからの吐水と、前記ハンドシャワーからの吐水が同時に行えるように構成されているとともに、前記ハンドシャワーには、通常のシャワー散水と、該シャワー散水よりも散水量の少ない第２の散水に切り替え可能な切替手段が設けられていることを特徴とするシャワー装置。
【請求項２】
前記ハンドシャワーには、該ハンドシャワーを任意の場所に保持させることのできる保持手段が付設されていることを特徴とする請求項１に記載のシャワー装置。
【発明の詳細な説明】
【技術分野】
【０００１】
本発明は、浴室に設置されるシャワー装置に関するものである。
【背景技術】
【０００２】
従来、特許文献１に開示されているように、ハンドシャワーと、散水ノズルを有するアームとを備えたシャワー装置が存在し、このシャワー装置は、ハンドシャワーからの散水と、アームの散水ノズルからの散水を切り替えることができるように構成されている。
【特許文献１】特開平１０−２８６５６号公報
【発明の開示】
【発明が解決しようとする課題】
【０００３】
上記従来構造のシャワー装置では、ハンドシャワーからの散水と、アームのノズルからの散水の、どちらか一方の使用しかできない構造であり、アームの散水ノズルから散水させながら、ハンドシャワーによって局部を洗浄したり温めたりすることはできないという問題点があった。
【０００４】
また、アームの散水ノズルとハンドシャワーから同時に吐水を行おうとすると、アームの散水ノズルからの流量が減少してしまうこととなり、快適に全身シャワーを浴びることができないという問題点があった。
【課題を解決するための手段】
【０００５】
本発明は上記従来の問題点に鑑み案出したものであって、ハンドシャワーと全身シャワーを同時に使用することができ、しかも、全身シャワーからの流量が減少しないシャワー装置を提供せんとするものであり、その請求項１は、複数のノズルを有する回動可能なアームを備えた全身シャワー装置に、ホースを介し任意の場所に移動できるハンドシャワーが付設されてなるシャワー装置において、前記全身シャワー装置のノズルからの吐水と、前記ハンドシャワーからの吐水が同時に行えるように構成されているとともに、前記ハンドシャワーには、通常のシャワー散水と、該シャワー散水よりも散水量の少ない第２の散水に切り替え可能な切替手段が設けられていることである。
【０００６】
また、請求項２は、前記ハンドシャワーには、該ハンドシャワーを任意の場所に保持させることのできる保持手段が付設されていることである。
【発明の効果】
【０００７】
本発明は、全身シャワー装置のノズルからの吐水と、ハンドシャワーからの吐水が同時に行えるように構成されて、ハンドシャワーには、通常のシャワー散水と、散水量の少ない第２の散水に切り替え可能な切替手段が設けられていることにより、全身シャワー装置のアームのノズルから吐水させると同時に、ハンドシャワーからも吐水させて、全身浴をしながら任意の場所を温めたり洗浄することができるものとなる。
また、全身シャワーとハンドシャワーを併用する際に、ハンドシャワーを散水量の少ない第２の散水に切り替え可能であるため、全身シャワーへの流量が大幅に減少することがなくなり、ハンドシャワーと全身シャワーを同時に使用しても、快適な使用状態が得られるものとなる。
【０００８】
また、ハンドシャワーには、ハンドシャワーを任意の場所に保持させることのできる保持手段が付設されていることにより、ハンドシャワーを、シャワーキャリーや浴槽の縁等の任意の場所に保持させて、良好に使用できるものとなる。
【実施例】
【０００９】
以下、本発明の実施例を図面に基づいて説明する。
図１は、浴室内の洗い場側の壁面等に設置される全身シャワー装置の斜視構成図である。
全身シャワー装置１は、水栓機能部２の前面に、左側から、温度調整ハンドル３ａ，吐水／シャワー切替ハンドル３ｂ，全身シャワーハンドル３ｃが設けられている。
また、水栓機能部２の左右両端側から上方へ延びて、左回動アーム４と右回動アーム５が上下方向に回動可能に設けられている。
更に水栓機能部２の左右両端側から下方へ垂下状に、左固定アーム６と右固定アーム７が設けられており、回動アーム４，５間には鏡８が配設され、また、固定アーム６，７間には洗面器台９が設けられている。
なお、回動アーム４，５及び固定アーム６，７には、それぞれ複数のノズル１０，１０，１０が設けられて、各ノズル１０から温水を噴出させることができるものである。
また、この全身シャワー装置１の水栓機能部２の左側面には、水栓機能部２から延びてホース１２が設けられ、ホース１２の先端にはハンドシャワー１３が設けられている。
【００１０】
この全身シャワー装置１の前記各ハンドルの拡大正面図を図２に示す。
温度調整ハンドル３ａは、各ノズル１０，１０，１０及びハンドシャワー１３からの吐水の温度を適宜調整できるものであり、時計方向へ回すことにより、高い吐水温に調整することができ、逆に反時計方向へ回すことにより、低い吐水温に調整することができるものである。
また、吐水／シャワー切替ハンドル３ｂは、中央部の「止」の位置で、吐水口１１からの吐水と、ハンドシャワー１３からの吐水を共に止めることができるものであり、この位置から時計方向に回すことにより、ハンドシャワー１３から吐水させることができ、しかも、時計方向へ回す角度を増大させてゆくことで、ハンドシャワー１３からの吐水流量を増大させてゆくことができるものである。また逆に、「止」の位置から反時計方向に回すことにより、吐水口１１から吐水させることができ、反時計方向へ回す角度を増大させてゆくことで、吐水口１１からの吐水流量を増大させてゆくことができるものである。
【００１１】
また右端側に設けられている全身シャワーハンドル３ｃは、「止」の位置で、全身シャワー１の各ノズル１０，１０，１０からの吐水を止めることができ、時計方向へ回転させてゆくことで、各ノズル１０，１０，１０から吐水させることができ、更に時計方向への回転角度を増大させてゆくことにより、各ノズル１０，１０からの吐水流量を増大させてゆくことができるものである。
【００１２】
従って、全身シャワーハンドル３ｃを時計方向へ回転させて、各ノズル１０，１０，１０から吐水させながら、吐水／シャワー切替ハンドル３ｂを時計方向へ回転させて、ハンドシャワー１３からも同時に吐水させることができるものであり、全身シャワー装置の各ノズル１０，１０，１０からの吐水を全身に浴びながら、局部等の任意の場所をハンドシャワー１３からの吐水で温めたり洗浄したりすることができるものとなる。
なお、吐水／シャワー切替ハンドル３ｂを「止」の位置にすることで、全身シャワー装置１のノズル１０，１０，１０からの吐水のみを行わせることもでき、逆に、全身シャワーハンドル３ｃを「止」の位置にして、ハンドシャワー１３からのみ吐水させて使用することもできるものである。
【００１３】
また、図３にハンドシャワー１３を拡大して示すように、例えば、ハンドシャワー１３に切替スイッチ１３ｃを設けておき、シャワー散水部１３ａからの通常のシャワー散水と、中央部に設けたノズル吐水部１３ｂからの第２の散水とを切り替えできるような構造にしておくことができる。
なお、中央のノズル吐水部１３ｂからの散水量は、外周側のシャワー散水部１３ａからの散水量よりも少なくなるように設定されている。
【００１４】
このような構造においては、例えば、全身シャワー装置１の各ノズル１０，１０，１０から散水させて全身浴をしながら、同時に、ハンドシャワー１３のノズル吐水部１３ｂから局部に散水して使用することができ、ノズル吐水部１３ｂからの散水量は少ないために、全身シャワー装置１のノズル１０，１０からの吐水量が大幅に減少することがなく、そのため、ハンドシャワーと全身シャワーを同時に使用しても、全身シャワー１への流量が不快な程減少しなくなり、快適な入浴感を得ることができるものとなる。
【００１５】
なお、図３のように中央部にノズル散水部１３ｂを設ける構造の他に、切替スイッチ１３ｃを介し、通常のシャワー散水とは異なる散水量の少ない第２の散水に切り替えできるような構造としても良く、例えば、ハンドシャワー１３のシャワー散水部１３ａの中央部に、細かいミスト状に噴霧する散水量が少ない噴霧部を設けておき、中央部の噴霧部から細かいミストを噴出させて使用できるように構成して、細かいミスト状の噴霧を利用して、ミストサウナや口腔内洗浄等を良好に行うことができるものとなる。
また、全身シャワーと同時に組み合わせて使用し、顔等にミストを当てて毛穴を拡張させ、より効果的な洗顔，美肌作用を得ることができる等、より快適な入浴が可能となる。
【００１６】
また、例えば全身シャワー１のノズル１０，１０からの吐水で体を温めながら、洗髪等を行う際などに、全身シャワー１よりもハンドシャワー１３への流量を増加させて使用することで、良好に洗髪等を浴室内で行うことができるものとなる。
なお、洗髪等を行う際に、ハンドシャワー１３を任意の位置に保持できると、より便利に使用可能であり、そのために、例えば図４に示すように、ハンドシャワー１３の握り部の外周に固定リング部１４を設けておき、この固定リング部１４に連結部１５を介在させて、回動可能に保持手段（クリップ等）１６を設けて構成しておくことができる。
この保持手段（クリップ等）１６は、左右の挟み片１６ａ，１６ｂと、左右のレバー片１６ｄ，１６ｅが、軸部１６ｃを中心として上下対称形状に設けられて、この左右のレバー片１６ｄ，１６ｅを手で握って、左右の挟み片１６ａ，１６ｂを開閉させ、任意の場所に左右の挟み片１６ａ，１６ｂを挟み付けて、良好にハンドシャワー１３を任意の位置に保持させることができるものである。
【００１７】
また、更には、図５に示すように、保持手段（クリップ）１６にフック部１７を設けておき、このフック部１７にハンドシャワー１３の握り部を着脱可能に差し込むことができるように構成しておいても良く、例えば、図６に示すように、浴室内で使用されるシャワーキャリー１８の握り手部１８ａに、保持手段（クリップ）１６を介して良好にハンドシャワー１３を保持させることができ、この状態でハンドシャワー１３から散水させて、シャワーキャリー１８に座った人の頭部に散水させて、良好に洗髪等を行うことができるものとなる。
【図面の簡単な説明】
【００１８】
【図１】ハンドシャワーが付設された全身シャワー装置の斜視構成図である。
【図２】図１の全身シャワー装置のハンドルの拡大正面構成図である。
【図３】切替スイッチ及びノズル吐水部が設けられたハンドシャワーの拡大斜視構成図である。
【図４】保持手段を付設したハンドシャワーの斜視構成図である。
【図５】フック付きの保持手段を備えたハンドシャワーの斜視構成図である。
【図６】保持手段を介しハンドシャワーをシャワーキャリーに保持させている使用状態図である。
【符号の説明】
【００１９】
１  全身シャワー装置
２  水栓機能部
３ａ  温度調整ハンドル
３ｂ  吐水／シャワー切替ハンドル
３ｃ  全身シャワーハンドル
４  左回動アーム
５  右回動アーム
６  左固定アーム
７  右固定アーム
８  鏡
１０  ノズル
１１  吐水口
１２  ホース
１３  ハンドシャワー
１３ａ  シャワー散水部
１３ｂ  ノズル吐水部
１３ｃ  切替スイッチ
１４  固定リング部
１５  連結部
１６  保持手段（クリップ）
１６ａ  左挟み片
１６ｂ  右挟み片
１６ｄ，１６ｅ  レバー片
１７  フック部
１８  シャワーキャリー
【図１】
2005074176.tif 000003
【図２】
2005074176.tif 000004
【図３】
2005074176.tif 000005
【図４】
2005074176.tif 000006
【図５】
2005074176.tif 000007
【図６】
2005074176.tif 000008